(57)【要約】  いくつかの態様によれば、本発明の実施形態は、通信システム内のループにおいて診断を実行するための方法および装置に関する。いくつかの態様によれば、本発明の実施形態は、ループの顧客施設側からＳＥＬＴを実行することを含む。いくつかの他の態様によれば、本発明の実施形態は、ＣＰＥ側ＳＥＬＴ手順を開始することと、さらに、ＣＰＥがオフラインである間に診断データを収集することと、の問題を取り扱う。
2016528852.tif 000002
【特許請求の範囲】
【請求項１】
設定パラメータに従ってシングルエンドラインテスト（ＳＥＬＴ）手順を開始するように顧客施設機器（ＣＰＥ）を設定することと、
前記ＣＰＥがオフラインである場合、前記設定パラメータに従って、前記ＣＰＥに対して、前記ＳＥＬＴ手順を実行させることと、
前記ＣＰＥにおいて、前記実行されたＳＥＬＴ手順の結果得られた診断データを収集することと、を備える方法。
【請求項２】
前記ＳＥＬＴ手順はループトポロジ測定を備える、請求項１に記載の方法。
【請求項３】
前記ＳＥＬＴ手順は、前記ＣＰＥに結合されたラインで前記ＣＰＥからシンボルを送信することと、前記ＣＰＥにおいて反射を測定することとを含む、請求項２に記載の方法。
【請求項４】
前記測定された反射は、Ｓ１１データを備える、請求項３に記載の方法。
【請求項５】
前記ＳＥＬＴ手順は、静寂ラインノイズ測定を備える、請求項１に記載の方法。
【請求項６】
設定することは、前記ＣＰＥの電源投入中に、前記ＳＥＬＴ手順を実行するように、前記ＣＰＥを設定することを含む、請求項１に記載の方法。
【請求項７】
設定することは、ライン途絶後、再トレーニングを試みる前に、前記ＳＥＬＴ手順を自主的に実行するように前記ＣＰＥを設定することを含む、請求項１に記載の方法。
【請求項８】
設定することは、前記ＳＥＬＴ手順を定期的に実行するように前記ＣＰＥを設定することを含む、請求項１に記載の方法。
【請求項９】
実行させることは、前記ＳＥＬＴ手順を実行するための時間ウィンドウが到来したと決定することと、前記ＳＥＬＴ手順を実行するために前記ＣＰＥをオフラインにすることとを含む、請求項８に記載の方法。
【請求項１０】
前記ＣＰＥをオフラインとする前に、ユーザトラフィックをモニタすること、をさらに備える請求項９に記載の方法。
【請求項１１】
設定することは、前記ＳＥＬＴ手順を直ちに実行するように前記ＣＰＥを遠隔的に設定することを含む、請求項１に記載の方法。
【請求項１２】
設定することは、前記ＳＥＬＴ手順を直ちに実行するように前記ＣＰＥをローカルに設定することを含む、請求項１に記載の方法。
【請求項１３】
設定することは、前記設定パラメータを、中央局（ＣＯ）から前記ＣＰＥへ送ることと、前記ＣＰＥにおいて前記設定パラメータを記憶することとを含む、請求項１に記載の方法。
【請求項１４】
送ることは、ＣＰＥ  ＷＡＮ管理プロトコル（ＣＷＭＰ）に準拠した通信を備える、請求項１３に記載の方法。
【請求項１５】
前記収集された診断データを前記ＣＰＥにおいて記憶することと、前記ＣＰＥがオンラインである場合、前記収集された診断データを、中央局（ＣＯ）へ通信することと、をさらに備える請求項１に記載の方法。
【請求項１６】
前記収集された診断データを、ローカルインターフェースを介して技術者へ通信すること、をさらに備える請求項１に記載の方法。
【発明の詳細な説明】
【技術分野】
【０００１】
関連出願の相互参照
[0001]本願は、その内容が全体において参照によって本明細書に組み込まれている２０１３年８月２３日出願の米国仮出願番号第６１／８６９，２２４号に対する優先権を主張する。
【０００２】
[0002]本発明は、一般に、ｘＤＳＬ通信システムに関し、さらに詳しくは、ＣＰＥ側ＳＥＬＴを開始することと、ＣＰＥ側ＳＥＬＴからデータを収集することとに関する。
【背景技術】
【０００３】
[0003]ｘＤＳＬ通信システム（ｘＤＳＬは、ＡＤＳＬ、ＶＤＳＬ、ＶＤＳＬ２等などのデジタル加入者ラインシステムの様々なバージョンを称する）は、通信チャネルとしてツイストペアワイヤを用いた顧客施設機器（ＣＰＥ）と中央局（ＣＯ）機器（すなわち、ＤＳＬＡＭ）からなる。信頼できるサービスを提供するため、サービス品質（ＱｏＳ）を測定するためにいくつかのテスト基準およびメトリクスが開発されている。１つのそのような基準は、Ｇ．９９６．２において、ＤＳＬのためのシングルエンドラインテストとして称されている。
【０００４】
[0004]シングルエンドラインテスト（ＳＥＬＴ）は、オフライン診断手順であり、一般に、ＳＥＬＴは、中央局側で使用され、したがって、中央局／ネットワーク管理システムによって制御および開始される。ＣＯ側ＳＥＬＴ診断は、必要に応じて、オンデマンドまたは定期的の何れかで、中央局管理システムによって開始される。
【０００５】
[0005]しかしながら、ＣＰＥ側からＳＥＬＴ手順を開始し、診断データを収集することが所望され得る。現在、ＣＰＥ側でＳＥＬＴを開始するために、技術者は、顧客施設を訪問し、そのような診断をマニュアルで開始し、データを収集する必要がある。これは明らかに高価で時間を浪費するタスクである。
【０００６】
[0006]したがって、当該技術分野では、ＣＰＥが、ＣＰＥ側から、ＳＥＬＴなどの診断を、自主的に開始および／または実行するための技術を求める必要性がある。
【発明の概要】
【０００７】
[0007]いくつかの態様によれば、本発明の実施形態は、通信システムにおけるループにおいて診断を実行するための方法および装置に関する。いくつかの態様によれば、本発明の実施形態は、ループの顧客施設側からＳＥＬＴを実行することを含む。いくつかの他の態様によれば、本発明の実施形態は、ＣＰＥ側ＳＥＬＴ手順を開始することと、さらに、ＣＰＥがオフラインである間に診断データを収集することと、の問題を取り扱う。
【０００８】
[0008]これらの態様および他の態様によれば、本発明の実施形態に従う方法は、設定パラメータに従ってシングルエンドラインテスト（ＳＥＬＴ）手順を開始するように顧客施設機器（ＣＰＥ）を設定することと、ＣＰＥがオフラインである場合、設定パラメータに従って、ＣＰＥに対して、ＳＥＬＴ手順を実行させることと、ＣＰＥにおいて、実行されたＳＥＬＴ手順の結果得られた診断データを収集することと、を含む。
【０００９】
[0009]本発明のこれらおよびその他の態様および特徴は、添付図面と連携された本発明の具体的な実施形態の以下の説明の検討により、当業者に明らかになるであろう。
【図面の簡単な説明】
【００１０】
【図１】[0010]本発明の実施形態が実現され得る例示的なシステムを例示するブロック図。
【図２】[0011]本発明の実施形態に従う例示的なＣＰＥ側ＳＥＬＴ装置を例示するブロック図。
【図３】[0012]本発明の実施形態に従う例示的なＣＰＥ側ＳＥＬＴ技法を例示するフローチャート。
【発明を実施するための形態】
【００１１】
[0013]本発明は、本発明を当業者が実施できるようにするための本発明の例示的な例として提供されている図面を参照して詳細に説明されるであろう。特に、以下に示す図面および例は、本発明の範囲を単一の実施形態に限定することは意味されておらず、説明または例示された要素のいくつかまたはすべての交換によって、他の実施形態も可能である。さらに、本発明のいくつかの要素が、周知の構成要素を用いて部分的または完全に実現され得る場合、本発明を不明瞭にしないように、そのような周知の構成要素のうちの本発明の理解のために必要な部分のみが説明され、そのような周知の構成要素の他の部分の詳細な説明は、省略されるであろう。当業者に明らかになるであろうが、本明細書において別に明示されていないのであれば、ソフトウェアにおいて実現されるものとして説明されている実施形態は、それに限定されるべきではなく、ハードウェア、または、ソフトウェアとハードウェアとの組合せによって実現される実施形態を含み、その逆もまた同様であり得る。本明細書で別に明示されていないのであれば、本明細書において、単一の構成要素を図示している実施形態は、限定していると考えられるべきではなく、むしろ、本発明は、複数の同じ構成要素を含む他の実施形態を包含することが意図されており、その逆もまた同様であり得る。さらに、出願人は、明細書および特許請求の範囲におけるあらゆる用語が、明確にそう記載されていないのであれば、一般的ではない、または、特別な意味に帰着されることを意図していない。さらに、本発明は、例示によって本明細書において称されている周知の構成要素の現在および将来の周知の均等物を含んでいる。
【００１２】
[0014]いくつかの態様によれば、本発明者は、顧客施設（たとえば、自宅）からＳＥＬＴを実行することは、ＣＯ端においてＳＥＬＴ診断手順を用いてアクセス可能ではない住宅内および住宅近辺におけるノイズ環境およびループトポロジに関する、より多くの見識および正確な情報を提供する、というユニークな利点を有することを認識している。本発明者はさらに、ＳＥＬＴはオフライン診断手順であり、中央局管理インターフェースは、ＣＰＥ側ＳＥＬＴをダイレクトに制御できないことを認識している。しかしながら、サービスプロバイダのために、ＣＰＥ側ＳＥＬＴ診断は、住宅の近辺および内部のノイズ環境およびループトポロジに関する補足的な情報を提供し得る。ＣＰＥからのこの追加情報は、通信チャネルのヒューリスティックな見方を提供するという観点において極めて貴重であり得、したがって、最終消費者のためのＱｏＥを改善し、さらに、オペレーティング費用をも低減する。したがって、ＣＰＥ側ＳＥＬＴを開始および実行し、結果をＣＯへ伝送するための方法および装置を求める必要性がある。
【００１３】
[0015]図１は、本発明の実施形態が実現され得る例示的なシステム１００を例示するブロック図である。図１に図示されるように、ＣＰＥデバイス１０２は、ループ１０６を介してＣＯ１０４内のＣＯモデム１１２に結合される。１つの限定しない例において、システム１００は、ＶＤＳＬ２に従って動作するＤＳＬシステムであり得る。しかしながら、本発明は、この例に限定されない。
【００１４】
[0016]前述したように、（ＤＳＬ、ケーブルモデム等などの）ワイヤ通信システムでは、ループトポロジおよびノイズ診断は、しばしば、ＳＥＬＴデータの分析に基づく。たとえば、ＣＯ管理システム１１０は、ループ１０６においてＣＯモデム１１２によって送信されＣＯモデム１１２へと後方反射されたＳＥＬＴ信号を用いて、ループ１０６をキャラクタライズするための診断を開始し得る。具体的には、システム１００がＶＤＳＬ２に従って動作する例では、ＣＯモデム１１２によって実行される従来のＳＥＬＴは、約５秒から約２分の期間にわたる各ＶＤＳＬ２シンボル期間、連続的にシンボル（たとえば、変調されたＲＥＶＥＲＢシンボル）を送信することと、ループ１０６からの反射を測定する（すなわち、Ｓ１１データを取得する）ことと、を含み得る。他のループ（図示せず）を介してＣＯモデム１１２に結合された他のＣＰＥは、ＣＯモデム１１２がループ１０６においてＳＥＬＴテストを実行している間、同じシンボル期間を用いてＳｈｏｗｔｉｍｅで動作し得ることが注目されるべきである。顧客施設の内部および近辺のノイズ環境分析と同様に、ＳＥＬＴ静寂ラインノイズ測定は、このラインで何も送信することなく、このラインにおけるノイズを聞くことによって実行され得る。
【００１５】
[0017]図１に図示されるように、そして、従来のアプローチとは対照的に、ＣＰＥデバイス１０２は、本発明の態様に従ってＣＰＥ側ＳＥＬＴを開始し実行するためのＳＥＬＴ装置１１４を含む。
【００１６】
[0018]本発明の実施形態に従う例示的なＳＥＬＴ装置１１４を例示するブロック図が図２に図示される。図示されるように、装置３００は、ＳＥＬＴキャプチャブロック２０２、分析エンジン３０４、ＳＥＬＴ開始および制御ブロック２０６、ＳＥＬＴ設定データ２０８、および、ＳＥＬＴデータ２１０を含む。
【００１７】
[0019]ＳＥＬＴキャプチャブロック２０２は、ＳＥＬＴ信号を生成し、ループ１０６で信号を送信し、ループからの反射を測定し、分析エンジン２０４にＳ１１反射データを提供するための機能を含む。実施形態では、ブロック２０２によって生成され送信されたＳＥＬＴ信号は、１つまたは複数のｘＤＳＬ帯域においてトーンから構築された、または、ｘＤＳＬ、もしくはケーブルモデム等などの他の通信技術に関連するカスタム周波数範囲を用いて構築された、シンボル（たとえば、変調されたＲＥＶＥＲＢシンボル）を備え得る。前述したように、例として、ノイズ環境分析のため、ＳＥＬＴ静寂ラインノイズ測定を実行するために、類似または異なる周波数範囲が利用され得る。ＳＥＬＴキャプチャブロック２０２は、当業者に周知の技術を用いて実現され得るので、そのさらなる詳細は、本明細書では、本発明の明瞭さのために省略されるであろう。
【００１８】
[0020]分析エンジン２０４は、キャプチャブロック２０２からＳ１１反射データを受信する。実施形態では、エンジン２０４は、何れかの従来のまたは専有の方法を用いてＳ１１反射データを分析し、結果をＳＥＬＴデータ２１０に記憶する。実行され得る例示的なＳＥＬＴ分析は、同時係属中の出願１４／３３９，８６２、１４／３４１，５３８、および１４／３４１，５７６に記載されたものの１つまたは複数を含んでいる。これらの各々の内容は、その全体において、参照によって本明細書に組み込まれている。いくつかの実施形態では、分析エンジン２０４は、ＣＰＥ１０２に含まれておらず、および／または、ＳＥＬＴデータ２１０は、収集された生のデータを含んでおり、これは、分析のために、他のデバイス（たとえば、ＣＯ管理システム１１０、または、クラウド内にホストされたような中央分析サーバ）へ提供されることが注目されるべきである。
【００１９】
[0021]ＳＥＬＴ開始および制御ブロック２０６は、２０８において記憶された設定に従って、ブロック２０２およびブロック２０４によって実行されるＳＥＬＴキャプチャおよび分析を開始するための機能を含んでいる。ＳＥＬＴ開始および制御ブロック２０６は、さらにオプションとして、ＳＥＬＴデータ２１０をＣＯ管理システム１１０へ提供するために、および／または、ＳＥＬＴ設定データ２０８を受信するために、ＣＯ管理システム１１０と通信するための機能を含み得る。実施形態では、設定データ２０８は、ＳＥＬＴを開始するための送信信号の時間および／または周波数および／または電力スペクトル密度（ＰＳＤ）を決定するためのパラメータを含んでいる。
【００２０】
[0022]図１に図示されるように、本発明の態様に従って、装置１１４は、ＣＰＥデバイス１０２内に組み込まれる。これらおよび他の実施形態では、ＣＰＥデバイス１０２は（ＣＯモデム１１２と同様に）、ＶＤＳＬ２、ＡＤＳＬ２等によって定義されるような通信サービスを実施する従来のプロセッサ、チップセット、ファームウェア、ソフトウェア等を有するＤＳＬトランシーバ（たとえば、Ｉｋａｎｏｓ  Ｃｏｍｍｕｎｉｃａｔｉｏｎｓ，  Ｉｎｃ．からのＶＸ１８０）を含んでいる。さらに、これらおよび他の実施形態では、装置１１４は、Ｉｋａｎｏｓ  Ｃｏｍｍｕｎｉｃａｔｉｏｎｓ，  Ｉｎｃ．によって提供されるＳｍａｒｔＣＰＥなどの診断スイートによって提供されるようなＳＥＬＴ機能を適応させることによって実現され得る。当業者であれば、上記および下記の例によって教示された後、本発明のＳＥＬＴ機能を実現するためにそのようなプロセッサ、チップセット、ファームウェア、ソフトウェア等をどのように適応させるのかを理解できるであろう。
【００２１】
[0023]例として、本発明の実施形態は、ＳＥＬＴ診断を設定し、開始し、ＳＥＬＴ診断からデータを収集するためのアプリケーションプログラミングインターフェース（ＡＰＩ）を用いて実現され得る。ループトポロジおよびノイズ測定のためのＳＥＬＴの様々なパラメータを設定するために、ＡＰＩは、限定されないが、テスト／測定の時間持続、そのような測定のために使用される周波数範囲、ループトポロジのためのプローブをする場合に使用される送信信号ＰＳＤ、ＳＥＬＴタイプ、モード、開始の特定の日付および／または日および／または時間および／または周期性、という入力パラメータを有する「ＳｅｌｔＣｏｎｆｉｇ（）」インターフェースを含み得る。ここで、「モード」というパラメータは、定数２７、２８、２９、３０、３１の何れかまたはすべてであり得る。これらは、以下により詳細に記載される開始技術に対応しており、「ＳＥＬＴタイプ」というパラメータは、ループトポロジプローブのためのＳＥＬＴ測定、および／または、ノイズプローブのためのＳＥＬＴ測定、またはその両方を選択し得る。これら設定パラメータ２０８は、分析エンジン２０４からのフィードバックによってマニュアルまたは自動的の何れかによって変更されるように明確に命令されていないのであれば、メモリ内で永続的である。「ＳｅｌｔＣｏｎｆｉｇ」はさらに、現在の設定環境を示す「ステータス」などの出力パラメータをも有し得る。ＳＥＬＴおよびデータ収集を開始するために、類似のインターフェースが使用され得る。これらは、ＳＥＬＴパラメータを設定するＳｅｌｔＣｏｎｆｉｇ（）に従って使用される。
【００２２】
[0024]本発明の実施形態に従って装置１１４によって実行され得る例示的なＣＰＥ側ＳＥＬＴ技法を例示するフローチャートが、図３に図示される。
【００２３】
[0025]図示されるように、第１のステップＳ３０２では、ＣＰＥ側ＳＥＬＴを開始および実行するためのパラメータが、ＳＥＬＴ設定２０８において設定される。ステップＳ３０４では、ＳＥＬＴ開始および制御ブロック２０６が、ＳＥＬＴを開始するか否かを、この設定から決定する。ＳＥＬＴを開始すると決定した場合、ステップＳ３０６に進み、ＳＥＬＴキャプチャブロック２０２および分析エンジン２０４が、ＳＥＬＴを実行し、ＳＥＬＴデータをストア２１０内に収集する。このステップＳ３０６は、現在オンラインであるかＳｈｏｗｔｉｍｅであるのであれば、ＣＰＥをオフラインとすることを含み得る。最終のオプションのステップＳ３０８では、ＳＥＬＴデータがＣＯ管理システム１１０へ提供され、処理がステップＳ３０４へ戻る。ステップＳ３０４へ戻ることに加えて、そして、恐らくはステップＳ３０８の前に、処理は、もしも適切であれば、ＣＰＥをオンラインまたはＳｈｏｗｔｉｍｅ状態へ戻すことを含み得ることが注目されるべきである。
【００２４】
[0026]ステップＳ３０６は、同時係属中の出願に記載されているものを含む任意の従来のまたは専有のＳＥＬＴ技術を含み得る。したがって、そのさらなる詳細は、本明細書では、本発明の明瞭さのために、省略されるであろう。図３に図示された他のステップで実行される技法の例示的な実施の詳細が、以下に提供される。
ＣＰＥ電源投入時における開始
[0027]第１の例示的な実施は、ＣＰＥデバイス１０２に電源が投入される毎に、２０８に記憶されたデフォルトの設定パラメータを用いてＳＥＬＴ手順を自主的に開始および実行するように装置１１４を設定するステップＳ３０２にある。設定データ２０８とともに、出力されたＳＥＬＴデータ２１０は、ＣＰＥメモリ内に、診断手順が実行された実際の時間を示す関連付けられたタイムスタンプとともに記憶される。ＣＰＥデバイス１０２がオンラインであり、接続を回復すると、ブロック２０６によって、ＣＯモデム１１２またはその他任意のサードパーティ管理システムを介して、診断データが中央局管理システム１１０へ転送され得る。接続が再開されない事象では、診断データ２１０が、ローカルアクセス（たとえば、サービス技術者）によってＣＰＥデバイス１０２からアクセスされ得る。たとえば、モデム１０２は、ウェブサーバ、ｈｔｔｐインターフェース、または、（たとえばＳＥＬＴ開始および制御ブロック２０６へ組み込まれた）ｆｔｐサーバ機能を含み得る。これらによって、技術者は、イーサネット（登録商標）ケーブル、Ｗｉ−Ｆｉ、および従来式のネットワークプロトコルを用いてデータ２１０へのアクセスおよびデータ２１０の転送のために、デバイス１０２とインタラクトし得る。そのようなウェブサーバ、ｈｔｔｐインターフェース、またはｆｔｐサーバ機能は、それに加えて、または、その代わりに、ＣＰＥデバイス１０２が、インターネットを介して、クラウド内のサードパーティまたは他の管理システムとデータ２１０を通信できるようにするために使用され得る。
再トレーニングを試みる前の、ライン途絶に対する自主的な開始
[0028]次の例示的な実施は、再トレーニングを試みる直前、ライン途絶がある毎に、２０８に記憶された、設定された設定パラメータを用いてＳＥＬＴ手順を自主的に開始するように装置１１４を設定するステップＳ３０２にある。設定データ２０８とともに、出力されたＳＥＬＴデータ２１０は、ＣＰＥメモリ内に、診断手順が実行された実際の時間を示す関連付けられたタイムスタンプとともに記憶される。ＣＰＥモデム１０４がオンラインであり、接続を回復すると、ＣＯモデム１１２またはその他任意のサードパーティ管理システムを介して、診断データ２１０が中央局管理システム１１０へ転送され得る。接続が再開されない事象では、診断データ２１０が、前述された実施と同様に、ローカルアクセス（たとえば、サービス技術者）によってＣＰＥデバイス１０２からアクセスされ得る。この例の場合、ＳＥＬＴを実行するための設定パラメータ２０８は、中央局管理システム１１０またはサードパーティ管理インターフェースによって、ＣＰＥ  ＷＡＮ管理プロトコル（ＣＷＭＰ）などの従来式のプロトコル（すなわちＴＲ−０６９）等によって、装置１１４（たとえば、ＳＥＬＴ開始および制御ブロック２０６）へ通信され得る。これらおよび他の実施形態では、設定パラメータはまた、次のライン途絶事象においてＳＥＬＴを開始するか否かをも示し得る。
定期的な開始
[0029]次の例示的な実施は、２０８に記憶された、設定された設定パラメータを用いて、指定された時間インタバルで、ＳＥＬＴ手順を定期的に開始するように装置１１４を設定するステップＳ３０２にある。設定パラメータを含む時間インタバルまたは時間周期は、前述した「ＳｅｔＣｏｎｆｉｇ」インターフェースなどのＡＰＩを用いて、ＣＯモデム１１２またはサードパーティ管理インターフェースを介して、中央局管理システム１１０によって設定され得る。実施形態では、ＳＥＬＴは、オフライン診断手順であり、（ステップＳ３０４において決定されたように）ＳＥＬＴを開始するためのウィンドウが到来すると、ＳＥＬＴ開始および制御ブロック２０６は、ユーザトラフィックをモニタし、ＣＰＥ１０２をオフラインとするために待機し、オフピーク時間中、および／または、ユーザトラフィックがないまたは最小である場合、ＳＥＬＴ手順を開始し得る。
遠隔オンデマンド開始
[0030]次の例示的な実施は、通信された設定された設定パラメータ２０８を用いて、オンデマンドでＳＥＬＴ手順を開始するように装置１１４を遠隔的に設定するステップＳ３０２にある。実施形態では、この例は、中央局管理システム１１０が、ＣＯモデム１１２またはサードパーティ管理システムを介して、ブロック２０６に対して、ＣＷＭＰまたは他のプロトコルによって、直ちにまたは指定された時間において、通信されたパラメータを用いてＳＥＬＴ手順を開始するように指示することを含む。ラインがＳｈｏｗｔｉｍｅにないか、または、モデムが、インターネットへのアクセスを直ちに取得することができないケースでは、設定データとともに、出力された診断データ２１０は、診断手順が実行された実際の時間を示す関連付けられたタイムスタンプとともにＣＰＥメモリ内に記憶される。ＣＰＥモデム１０４がオンラインであり、接続を回復すると、診断データは、その後、中央局管理システム１１０またはその他任意のサードパーティ管理システムへ転送され得る。接続が再開されない事象では、診断データ２１０が、前述された実施と同様に、ローカルアクセス（たとえば、サービス技術者）によってＣＰＥデバイス１０２からアクセスされ得る。
ＣＰＥへのダイレクトなアクセスを用いたローカルな開始
[0031]次の例示的な実施は、ＣＰＥデバイス１０２へのダイレクトなアクセスを用いてＣＰＥ側ＳＥＬＴ手順を直ちに開始するように装置をローカルに設定するステップＳ３０２にある。この例は、技術者によるインストール手順中に、または、技術者によるトラブルシューティング訪問時に使用され得る。設定データとともに、出力された診断データ２１０は、ウェブページ、または、前述したものと類似したその他任意のｈｔｔｐインターフェースを介した、ＣＰＥデバイス１０２へのダイレクトなアクセスを用いて、ローカル技術者によって直ちにアクセスされる。ＣＰＥデバイス１０２が接続を再開すると、同じ診断データ２１０もまた、ブロック２０６によって、ＣＯモデム１１２を介して中央管理システム１１０へ転送され得る。
【００２５】
[0032]前述した例示的な実施は、相互に排他的ではないことが注目されるべきである。たとえば、これらの例示的な方法のいくつかまたはすべては、永久に、本発明の実施形態に従うＳＥＬＴ装置１１４を有する同じＣＰＥデバイス１０２によって実行され得る。
【００２６】
[0033]本発明は、その好適な実施形態を参照して特に記載されているが、形式および詳細における変更および修正が、本発明の精神および範囲から逸脱されることなくなされ得ることが、当業者に、容易に明らかであるべきである。添付された特許請求の範囲は、そのような変更および修正を含むことが意図されている。
【図１】
2016528852.tif 000003
【図２】
2016528852.tif 000004
【図３】
2016528852.tif 000005
【国際調査報告】
2016528852.tif 000006
2016528852.tif 000007
2016528852.tif 000008